(57)【要約】【課題】画像情報と共に、時刻情報を容易に記録、整理可能な眼科撮影装置を得る。【解決手段】蛍光造影撮影を可能とする眼科撮影装置であって、撮像手段と内部時計機能とを備え撮影画像と該画像の撮影時刻を同時に記録する記録手段を有するデジタルカメラ４と、蛍光造影撮影開始からの経過時間を計時して表示する内部タイマ手段を備えた装置制御手段５１と、デジタルカメラ４の撮影動作を行わせる撮影スイッチ７と、タイマ手段の動作の操作をするタイマスイッチ９と、撮影スイッチ７又はタイマスイッチ９の何れか一方が操作されると、装置制御手段５１はデジタルカメラ４とタイマ手段を連動して動作させる。【選択図】        図３
2005058268.tif 000002
【特許請求の範囲】
【請求項１】
蛍光造影撮影を可能とする眼科撮影装置であって、撮像手段と内部時計機能とを備え撮影画像と該画像の撮影時刻を同時に記録する記録手段を有するデジタルカメラと、蛍光造影撮影開始からの経過時間を計時して表示するタイマ手段と、前記デジタルカメラの撮影動作を行わせる撮影スイッチと、前記タイマ手段の動作の操作をするタイマ操作手段と、前記撮影スイッチ又は前記タイマ操作手段の何れか一方が操作されると前記デジタルカメラと前記タイマ手段を連動して動作させる制御手段とを有することを特徴とする眼科撮影装置。
【請求項２】
前記制御手段は前記タイマ手段が未動作のときに作動することを特徴とする請求項１に記載の眼科撮影装置。
【請求項３】
前記デジタルカメラの撮影動作に連動して発光する被検眼照明用光源を有し、前記制御手段は、前記デジタルカメラと前記タイマ手段を連動して動作させる場合に、前記被検眼照明用光源の発光を行わないようにすることを特徴とする請求項１に記載の眼科撮影装置。
【請求項４】
蛍光造影撮影以外の他の撮影モードでの撮影が可能であり、前記蛍光造影撮影と前記他の撮影モードの切換操作を行う切換操作手段を有し、前記制御手段は、前記切換操作手段の操作入力を受けて前記蛍光造影撮影と前記他の撮影モードの切換えを行い、前記他の撮影モードから前記蛍光造影撮影への移行後に、前記撮影スイッチ又は前記タイマ操作手段の何れか一方が操作されると、前記デジタルカメラと前記タイマ手段を連動して動作させることを特徴とする請求項１に記載の眼科撮影装置。
【請求項５】
前記デジタルカメラと前記タイマ手段の動作を連動させるか非連動にするかを選択する連動選択手段を有し、前記制御手段は、前記連動選択手段からの入力に従って前記撮影スイッチ又は前記タイマ操作手段の何れか一方が操作されると、前記デジタルカメラと前記タイマ手段の動作を連動又は非連動に動作させることを特徴とする請求項１に記載の眼科撮影装置。
【請求項６】
図形又は文字の描かれたチャートと、該チャートを照明する投影光源と、該投影光源に照明された前記チャートの図形又は文字像を前記デジタルカメラの撮像面に結像する投影光学系とを有し、前記制御手段は、前記撮影スイッチ又は前記タイマ操作手段の何れか一方が操作されると、前記デジタルカメラと前記タイマ手段の動作と前記投影光源を連動して発光させることを特徴とする請求項１に記載の眼科撮影装置。
【請求項７】
所定の蛍光造影剤による励起光を発生する光源手段と、被検眼に対して前記励起光を照射する照明光学系と、被検眼から戻る前記蛍光造影剤の蛍光光を撮影する手段と内部時計機能とを備え撮影画像と該画像の撮影時刻を同時に記録する記録手段を有するデジタルカメラと、前記蛍光光を前記デジタルカメラまで導く撮影光学系と、該撮影光学系内に設置し前記蛍光光を選択的に通過させるフィルタと、蛍光造影撮影開始から経過時間を計時し表示するタイマ手段と、前記デジタルカメラの撮影動作を行わせる撮影スイッチと、前記タイマ手段の停止又はリセットの操作をするタイマ操作手段と、前記タイマ手段が計時動作をしていない場合に前記撮影スイッチを操作すると前記デジタルカメラの撮影動作と前記タイマ手段の計時動作を同時に開始し、前記タイマ手段が計時動作をしている場合又は前記タイマ操作手段が操作されるまでの間に前記撮影スイッチが操作されると、前記デジタルカメラの撮影動作と前記光源手段の励起光発生動作を連動して行う制御手段とを有することを特徴とする眼科撮影装置。
【請求項８】
所定の蛍光造影剤による励起光を発生する光源手段と、被検眼に対して前記励起光を照射する照明光学系と、被検眼から戻る前記蛍光造影剤の蛍光光を撮影する手段と内部時計機能とを備え撮影画像と該画像の撮影時刻を同時に記録する記録手段を有するデジタルカメラと、前記蛍光光を前記デジタルカメラまで導く撮影光学系と、該撮影光学系内に設置し前記蛍光光を選択的に通過させるフィルタと、蛍光造影撮影開始から経過時間を計時し表示するタイマ手段と、前記デジタルカメラの撮影動作を行わせる撮影スイッチと、前記タイマ手段の開始及び停止又はリセットの操作をするタイマ操作手段と、前記タイマ手段が計時動作をしていない場合に前記タイマ操作手段を操作すると前記デジタルカメラの撮影動作と前記タイマ手段の計時動作を同時に開始し、前記タイマ手段が計時動作をしている場合又は前記タイマ操作手段が再び操作されるまでの間に前記撮影スイッチが操作されると、前記デジタルカメラの撮影動作と前記光源手段の励起光発生動作を連動して行う制御手段とを有することを特徴とする眼科撮影装置。
【請求項９】
前記デジタルカメラの撮影動作と前記タイマ手段の計時動作を同時に開始させる場合に、前記制御手段は前記光源手段の発光を行わないようにすることを特徴とする請求項７又は８に記載の眼科撮影装置。
【請求項１０】
所定の蛍光造影剤による励起光を発生する光源手段と、被検眼に対して前記励起光を照射する照明光学系と、被検眼から戻る蛍光造影剤の蛍光光を撮影する手段と内部時計機能とを備え撮影画像と該画像の撮影時刻を同時に記録する記録手段を有するデジタルカメラと、前記蛍光光を前記デジタルカメラまで導く撮影光学系と、該撮影光学系内に設置した前記蛍光光を選択的に通過させるフィルタと、前記デジタルカメラの撮影動作を行わせる撮影スイッチと、蛍光造影撮影開始から経過時間を計時し表示するタイマ機能を有する外部機器と、該外部機器のタイマ機能を停止又はリセット操作をするタイマ操作手段と、前記外部機器が計時動作をしていない場合に前記撮影スイッチを操作すると前記デジタルカメラの撮影動作と前記外部機器の計時動作を同時に開始し、前記外部機器が計時動作をしている場合又は前記タイマ操作手段が操作されるまでの間に前記撮影スイッチが操作されると、前記デジタルカメラの撮影動作と前記光源手段の励起光発生動作を連動して行う制御手段とを有することを特徴とする眼科撮影装置。
【請求項１１】
所定の蛍光造影剤による励起光を発生する光源手段と、被検眼に対して前記励起光を照射する照明光学系と、被検眼から戻る前記蛍光造影剤の蛍光光を撮影する手段と内部時計機能とを備え撮影画像と該画像の撮影時刻を同時に記録する記録手段を有するデジタルカメラと、前記蛍光光を前記デジタルカメラまで導く撮影光学系と、該撮影光学系に設置した前記蛍光光を選択的に通過させるフィルタと、前記デジタルカメラの撮影動作を行わせる撮影スイッチと、蛍光造影撮影開始から経過時間を計時し表示するタイマ機能を有する外部機器と、該外部機器から計時動作を開始させる制御信号の入力を受けると前記デジタルカメラの撮影動作を行い、前記外部機器が計時動作をしている場合又は前記外部機器からの計時停止制御信号の入力がされるまでの間に前記撮影スイッチが操作されると、前記デジタルカメラの撮影動作と前記光源手段の励起光発生動作を連動して行う制御手段とを有することを特徴とする眼科撮影装置。
【請求項１２】
前記撮影スイッチが操作されると、前記デジタルカメラの撮影動作と前記外部機器の計時動作を同時に開始させる場合に、前記制御手段は前記光源手段の発光を行わないようにすることを特徴とする請求項１０又は１１に記載の眼科撮影装置。
【請求項１３】
前記外部機器から計時動作を開始させる制御信号の入力を受けると、前記デジタルカメラの撮影動作を行う場合に、前記制御手段は前記光源手段の発光を行わないようにすることを特徴とする請求項１０又は１１に記載の眼科撮影装置。
【発明の詳細な説明】
【０００１】
【発明の属する技術分野】
本発明は、蛍光造影撮影が可能な眼科撮影装置に関するものである。
【０００２】
【従来の技術】
従来の眼科撮影装置はフルオルセインナトリウムやインドシアニングリーンといった蛍光造影剤を被検者に静脈注射を行い、被検眼に循環してきた蛍光造影剤に対して励起光を照射して発せられる蛍光光を撮影することで、主として眼内循環や眼内血管の精密検査が眼科分野において行われている。
【０００３】
循環状態を検査するためには、撮影された画像が蛍光造影剤の静脈注射開始を起点として、どの程度の時間が経過していたものであるかが重要な情報となっている。
【０００４】
通常、蛍光造影撮影を行う目的の眼底カメラには、特許文献１のようにタイマ装置が内蔵されており、蛍光造影撮影において、被検者への蛍光造影剤静脈注射と同時に、タイマのスタートスイッチを押してタイマを開始させることで、静脈注射から画像の撮影が行われるまでの間の時間を計測できるようになっている。従来の銀塩フィルムによる撮影では、眼底カメラ内部にこのタイマをフィルム面に投影する光学系が存在し、撮影された被検眼画像とタイマの表示が光学的に同時に写し込まれるようにされている。
【０００５】
近年、普及し始めたデジタルカメラを使用する撮影の場合には、画像のキャプチャ装置等が眼底カメラからタイマ値を撮影と同時に取り込み、特許文献２のように撮影された画像データに付帯させて記録する手法や、キャプチャ装置自体に設けたタイマを静脈注射時にスタートさせ、撮影された画像にこのタイマ値を付帯させて記録する手法がある。
【０００６】
【特許文献１】
特開平８−１５０１２０号公報
【特許文献２】
特開平８−３２２８００号公報
【０００７】
【発明が解決しようとする課題】
前述のように、タイマ値を付帯した画像データ撮影しようとすると、専用の高価なキャプチャ装置を必要である。また、このようなキャプチャ装置はデジタルカメラとのデータ通信が複雑で、最新機種のデジタルカメラに対応するには時間が掛かり、進歩の著しいデジタルカメラの性能の向上に追随して、常に最新のデジタルカメラを使用する環境を得ることは困難である。
【０００８】
特に近年では、安価で高性能のデジタルカメラが次々と市場に登場しており、そのような最新のデジタルカメラを手軽に利用したいと考えるのは、ユーザとして当然の要求であるが、それを満たすことは困難である。
【０００９】
また、銀塩カメラを使用すると同様に、デジタルカメラにタイマ情報を光学的に写し込むことは、技術的には比較的容易ではあるが、これでは単にタイマ情報を画像情報に電子化したに過ぎず、撮影画像のデータベース化や画像の並べ換え、画像抽出、画像比較の容易性等、デジタルデータとして利用する価値が大きく損われてしまう。
【００１０】
更には、デジタルカメラの撮像面上において、被検眼画像撮影光とタイマ投影光が干渉し合うことを防ぐために、デジタルカメラ側にそれぞれの光路間の遮光部材を設ける等の改造が必要となり、手軽かつ安価に最新のデジタルカメラの使用に対応できるとは云えない。
【００１１】
即ち、従来ではタイマ情報を撮影画像と同時に取得し、かつ撮影画像のデジタルデータ的な利用価値を損わず、操作性が良く使い易い蛍光造影撮影の環境を、手軽かつ安価に得ることが極めて難しい。それ加えて、進歩の著しい最新のデジタルカメラを手軽に利用することは殆どできない。
【００１２】
本発明の目的は、上述の問題点を解消し、画像情報と共に、時刻情報を容易に記録、整理可能な眼科撮影装置を提供することにある。
【００１３】
【課題を解決するための手段】
上記目的を達成するための本発明に係る眼科撮影装置は、蛍光造影撮影を可能とする眼科撮影装置であって、撮像手段と内部時計機能とを備え撮影画像と該画像の撮影時刻を同時に記録する記録手段を有するデジタルカメラと、蛍光造影撮影開始からの経過時間を計時して表示するタイマ手段と、前記デジタルカメラの撮影動作を行わせる撮影スイッチと、前記タイマ手段の動作の操作をするタイマ操作手段と、前記撮影スイッチ又は前記タイマ操作手段の何れか一方が操作されると前記デジタルカメラと前記タイマ手段を連動して動作させる制御手段とを有することを特徴とする。
【００１４】
本発明に係る眼科撮影装置は、所定の蛍光造影剤による励起光を発生する光源手段と、被検眼に対して前記励起光を照射する照明光学系と、被検眼から戻る前記蛍光造影剤の蛍光光を撮影する手段と内部時計機能とを備え撮影画像と該画像の撮影時刻を同時に記録する記録手段を有するデジタルカメラと、前記蛍光光を前記デジタルカメラまで導く撮影光学系と、該撮影光学系内に設置し前記蛍光光を選択的に通過させるフィルタと、蛍光造影撮影開始から経過時間を計時し表示するタイマ手段と、前記デジタルカメラの撮影動作を行わせる撮影スイッチと、前記タイマ手段の停止又はリセットの操作をするタイマ操作手段と、前記タイマ手段が計時動作をしていない場合に前記撮影スイッチを操作すると前記デジタルカメラの撮影動作と前記タイマ手段の計時動作を同時に開始し、前記タイマ手段が計時動作をしている場合又は前記タイマ操作手段が操作されるまでの間に前記撮影スイッチが操作されると、前記デジタルカメラの撮影動作と前記光源手段の励起光発生動作を連動して行う制御手段とを有することを特徴とする。
【００１５】
本発明に係る眼科撮影装置は、所定の蛍光造影剤による励起光を発生する光源手段と、被検眼に対して前記励起光を照射する照明光学系と、被検眼から戻る前記蛍光造影剤の蛍光光を撮影する手段と内部時計機能とを備え撮影画像と該画像の撮影時刻を同時に記録する記録手段を有するデジタルカメラと、前記蛍光光を前記デジタルカメラまで導く撮影光学系と、該撮影光学系内に設置し前記蛍光光を選択的に通過させるフィルタと、蛍光造影撮影開始から経過時間を計時し表示するタイマ手段と、前記デジタルカメラの撮影動作を行わせる撮影スイッチと、前記タイマ手段の開始及び停止又はリセットの操作をするタイマ操作手段と、前記タイマ手段が計時動作をしていない場合に前記タイマ操作手段を操作すると前記デジタルカメラの撮影動作と前記タイマ手段の計時動作を同時に開始し、前記タイマ手段が計時動作をしている場合又は前記タイマ操作手段が再び操作されるまでの間に前記撮影スイッチが操作されると、前記デジタルカメラの撮影動作と前記光源手段の励起光発生動作を連動して行う制御手段とを有することを特徴とする。
【００１６】
本発明に係る眼科撮影装置は、所定の蛍光造影剤による励起光を発生する光源手段と、被検眼に対して前記励起光を照射する照明光学系と、被検眼から戻る蛍光造影剤の蛍光光を撮影する手段と内部時計機能とを備え撮影画像と該画像の撮影時刻を同時に記録する記録手段を有するデジタルカメラと、前記蛍光光を前記デジタルカメラまで導く撮影光学系と、該撮影光学系内に設置した前記蛍光光を選択的に通過させるフィルタと、前記デジタルカメラの撮影動作を行わせる撮影スイッチと、蛍光造影撮影開始から経過時間を計時し表示するタイマ機能を有する外部機器と、該外部機器のタイマ機能を停止又はリセット操作をするタイマ操作手段と、前記外部機器が計時動作をしていない場合に前記撮影スイッチを操作すると前記デジタルカメラの撮影動作と前記外部機器の計時動作を同時に開始し、前記外部機器が計時動作をしている場合又は前記タイマ操作手段が操作されるまでの間に前記撮影スイッチが操作されると、前記デジタルカメラの撮影動作と前記光源手段の励起光発生動作を連動して行う制御手段とを有することを特徴とする。
【００１７】
本発明に係る眼科撮影装置は、所定の蛍光造影剤による励起光を発生する光源手段と、被検眼に対して前記励起光を照射する照明光学系と、被検眼から戻る前記蛍光造影剤の蛍光光を撮影する手段と内部時計機能とを備え撮影画像と該画像の撮影時刻を同時に記録する記録手段を有するデジタルカメラと、前記蛍光光を前記デジタルカメラまで導く撮影光学系と、該撮影光学系に設置した前記蛍光光を選択的に通過させるフィルタと、前記デジタルカメラの撮影動作を行わせる撮影スイッチと、蛍光造影撮影開始から経過時間を計時し表示するタイマ機能を有する外部機器と、該外部機器から計時動作を開始させる制御信号の入力を受けると前記デジタルカメラの撮影動作を行い、前記外部機器が計時動作をしている場合又は前記外部機器からの計時停止制御信号の入力がされるまでの間に前記撮影スイッチが操作されると、前記デジタルカメラの撮影動作と前記光源手段の励起光発生動作を連動して行う制御手段とを有することを特徴とする。
【００１８】
【発明の実施の形態】
本発明を図示の実施の形態に基づいて詳細に説明する。
図１は実施の形態における眼科撮影装置の外観図を示しており、撮影装置本体１は被検眼Ｅへのアライメントのために、位置及び姿勢を三次元的に移動自在にステージ２上に搭載されており、撮影装置本体１にはフォーカスノブ３、デジタルカメラ４、ファインダ光学系５が設けられている。またステージ２上には、複数のスイッチ類を有する操作パネル６が設置されており、操作パネル６に設置された操作デバイスから本装置の操作や設定入力がされる。
【００１９】
操作パネル６には、図２に示すように、頂部に撮影スイッチ７を有する操作桿８、タイマスイッチ９、蛍光造影モードスイッチ１０、カラーモードスイッチ１１、表示手段１２が設けられている。なお、連動切換えつまみ１３は、後述する第２の実施の形態において使用される。
【００２０】
図３は装置本体１の内部構成図を示しており、観察光源２１から対物レンズ２２に至る光路中には、観察光源２１側からレンズ２３、ストロボ管から成る撮影光源２４、コンデンサレンズ２５、フィールドレンズ２６、リンクスリット２７、遮光部材２８、光路に挿脱自在で所定の蛍光造影剤を励起させる波長のみを通過させるバンドパスフィルタであるエキサイタフィルタ２９、リレーレンズ３０、遮光部材３１、孔あきミラー３２が順次に配列されている。また、観察光源２１の後方には凹面ミラー３３が配置されている。
【００２１】
孔あきミラー３２の後方には、フォーカスレンズ３４、光路に挿脱自在で蛍光造影剤の励起光のみを通過させるバンドパスフィルタであるバリアフィルタ３５、結像光学系３６、跳ね上げミラー３７、デジタルカメラ４が順次に配列されている。
【００２２】
更に、光路に挿入された跳ね上げミラー３７の反射方向には、折り返しミラー３８、ファインダ光学系５の接眼レンズ３９が配置されている。また、跳ね上げミラー３７の光路からの離脱を検知する検知スイッチ４０が設けられている。
【００２３】
デジタルカメラ４の出力は内部タイマを備えた装置制御手段５１に接続されており、装置制御手段５１には、撮影スイッチ７、タイマスイッチ９、蛍光造影モードスイッチ１０、カラーモードスイッチ１１、表示手段１２、観察光源２１を制御するランプ制御回路５２、撮影光源２４を制御するストロボ制御回路５３、エキサイタフィルタ２９、バリアフィルタ３５をそれぞれ駆動するアクチュエータ５４、５５、検知スイッチ４０が接続されている。
【００２４】
撮影装置本体１の移動は操作桿８を用いて行う。フォーカスノブ３は後述するフォーカスレンズと図示しない既知の連動手段で連動しており、これを操作することにより撮影部位への合焦操作を行う。
【００２５】
光路中に跳ね上げミラー３７があると、被検眼Ｅからの反射光は折り返しミラー３８に導かれ、接眼レンズ３９を介して撮影者ｅによって視認される。この跳ね上げミラー３７から接眼レンズ３９に至る観察光学系により、撮影者は被検眼Ｅの眼底部Ｅａを観察できる。
【００２６】
装置制御手段５１からランプ制御回路５２又はストロボ制御回路５３に対し発光光量、発光タイミング、発光時間等が指定され、観察光源２１又は撮影光源２４から発した照明光は、コンデンサレンズ２３を経て、フィールドレンズ２６及びリングスリット２７によりリング状に成形される。リング状に成形された照明光は、リレーレンズ３０と有害光に対する遮光部材２８、３１を経て、孔あきミラー３２で折り返され、対物レンズ２２を経て被検眼Ｅの眼底部Ｅａに照射される。
【００２７】
このように照明光学系により撮影部位の照明が行われ、装置制御手段５１は前述の撮影スイッチ７、操作パネル６の操作デバイスからの操作信号入力を受け、観察光源２１及び撮影光源２４等の装置全体の制御の変更を行い、デジタルカメラ４に対してその動作の制御を行う。
【００２８】
被検眼Ｅの眼底部Ｅａから戻る反射光は、再び対物レンズ２２と孔あきミラー３２の孔部分、光軸方向に移動可能なフォーカスレンズ３４と結像光学系３６を経て、デジタルカメラ４で撮影される。このデジタルカメラ４で撮影された画像は、デジタルカメラ４の既知の内部記憶手段に記録される。また、デジタルカメラ４の内部では、図示しない公知の時計装置が常時動作しており、画像の記録時に撮影画像に撮影時間をヘッダ情報として添付する。
【００２９】
図４は蛍光造影撮影動作のフローチャート図を示している。蛍光造影撮影モードに入るために、撮影者が操作パネル６の蛍光造影モードスイッチ１０を押すと（ステップＳ１０１）、装置制御手段５１は蛍光造影モードに切換え（ステップＳ１０２）、エキサイタフィルタ２９を光路内に挿入する（ステップＳ１０３）。
【００３０】
撮影者は観察光学系で被検眼Ｅを観察しながら、操作桿８とフォーカスノブ３を操作して眼底部Ｅａの撮影部位に対してアライメントと合焦を行い、撮影スイッチ７を押すと（ステップＳ１０４）、装置制御手段５１の内部タイマが作動していない場合には（ステップＳ１０５、Ｓ１０６）、装置制御手段５１はその入力を受けて、同時に跳ね上げミラー３７を撮影光路上から離脱させ、同時に装置制御手段５１の内部タイマがスタートして、操作パネル６の表示手段１２にタイマの表示を開始する（ステップＳ１０７）。
【００３１】
跳ね上げミラー３７が撮影光路から離脱したことを検知スイッチ４０が検知すると装置制御手段５１に入力する（ステップＳ１０８）。検知スイッチ４０の入力を受けて装置制御手段５１は、デジタルカメラ４の撮影動作をさせ、撮影光源２４の発光を伴わない撮影を行い（ステップＳ１０９）、先に述べたように撮影された画像に撮影時間をヘッダ添付して記録する（ステップＳ１１５）。
【００３２】
装置制御手段５１の内部タイマが作動している間に撮影スイッチ７を押すと（ステップＳ１０５）、装置制御手段５１はその入力を受けてバリアフィルタ３５を光路に挿入し、同時に跳ね上げミラー３７を撮影光路上から離脱させる（ステップＳ１１１）。検知スイッチ４０の検知信号が装置制御手段５１に入力すると（ステップＳ１１２）、これを受けて装置制御手段５１はデジタルカメラ４の撮影動作を開始させ（ステップＳ１１３）、所定の同期で撮影光源２４を所定の発光タイミングと発光時間で発光させる（ステップＳ１１４）。デジタルカメラ４は撮影部位の画像を撮影し、先に述べたように撮影された画像に撮影時間をヘッダ添付して記録する（ステップＳ１１５）。
【００３３】
装置制御手段５１の内部タイマが作動している間に、操作パネル６のカラーモードスイッチ１１を押して（ステップＳ１１６）、エキサイタフィルタ２９及びバリアフィルタ３５を離脱させて装置制御手段５１がカラー撮影モードに切換え（ステップＳ１２１）、後に再び蛍光造影モードスイッチ１０を押して蛍光造影モードに戻り撮影スイッチ７を押せば（ステップＳ１０１）、デジタルカメラ４は上述のように撮影光源２４の発光を伴った撮影部位の画像を撮影する（ステップＳ１０４、Ｓ１０５、Ｓ１１０〜Ｓ１１５）。
【００３４】
一連の蛍光造影撮影を終えて、操作パネル６のタイマスイッチ９を押すと（ステップＳ１１７）、装置制御手段５１は内部タイマを止めてタイマ値とタイマ表示をリセットし（ステップＳ１１８）、蛍光造影モードの初期状態、即ち撮影スイッチ７を押すと発光を伴わない撮影とタイマのスタートを行える状態となる（ステップＳ１１９〜Ｓ１０４）。ここで全ての撮影を中止してよい（ステップＳ１２２）。
【００３５】
図５は図４のステップＳ１０４〜ステップＳ１０６〜ステップＳ１１５における撮影スイッチ７、検知スイッチ４０、デジタルカメラ４の概略の動作タイミングチャート図を示している。
【００３６】
また、図６は図４のステップＳ１０４〜ステップＳ１１０〜ステップＳ１１５における撮影スイッチ７、検知スイッチ４０、デジタルカメラ４、撮影光源２４の概略の動作タイミングチャート図を示している。
【００３７】
図４のステップＳ１０６〜Ｓ１０９に至る部分の変化形態として、タイマが動作していない場合に、撮影スイッチ７を押した時には跳ね上げミラー３７を動作させず、検知スイッチ４０からの入力を待たずに装置制御手段５１がデジタルカメラ４を撮影状態としてもよい。また、撮影光源２４の発光やバリアフィルタ３５の光路挿入を伴わせることもできる。
【００３８】
蛍光造影モードに入るには、エキサイタフィルタ２９又はバリアフィルタ３５が光路内に挿入されたことにより行ってもよい。タイマの動作状態の確認としては、タイマスイッチ９が押されているかどうかを判断の基準とすることも可能である。
【００３９】
タイマの動作状態を確認せず、蛍光造影モードに移行して、初めての撮影スイッチ７の操作の時にのみ、図４のＳ１０６〜Ｓ１１５に至る動作をさせ、蛍光造影モードから抜けない限り、それ以降の撮影スイッチ７の操作に対しては撮影光源２４の発光を伴わせるようにすることもできる。
【００４０】
前述の第１の実施の形態においては、撮影スイッチ７をタイマスタートと撮影スイッチを兼用させたが、図７のフローチャート図においては、タイマスイッチ９にタイマのスタートとストップの機能を持たせ、即ちタイマスイッチ９を１回押す毎にタイマのスタート／ストップを行うような機能を持たせ、蛍光造影モードにおいてタイマスイッチ９を押してタイマをスタートさせると同時に、デジタルカメラ４の撮影を行わせるように構成した装置を用いた蛍光造影撮影動作を示している。
【００４１】
撮影者が蛍光造影撮影モードに入るために、操作パネル６の蛍光造影モードスイッチ１０を押すと（ステップＳ１５１）、装置制御手段５１は蛍光造影モードに切換え（ステップＳ１５２）、エキサイタフィルタ２９を光路内に挿入する（ステップＳ１５３）。
【００４２】
撮影者は観察光学系で被検眼Ｅを観察しながら、操作桿８とフォーカスノブ３を操作して、眼底部Ｅａの撮影部位に対してアライメントと合焦を行い、タイマスイッチ９を押すと（ステップＳ１５４）、装置制御手段５１はその入力を受けて、同時に跳ね上げミラー３７を撮影光路上から離脱させると共に、装置制御手段５１の内部タイマがスタートして、操作パネル６の表示手段１２にタイマの表示を開始する（ステップＳ１５５）。
【００４３】
跳ね上げミラー３７が撮影光路から離脱したことを検知スイッチ４０が検知すると、装置制御手段５１に入力する（ステップＳ１５６）。検知スイッチ４０の入力を受けて、装置制御手段５１はデジタルカメラ４の撮影動作をさせ、撮影光源２４の発光を伴わない撮影を行い（ステップＳ１５７）、先に述べたように撮影された画像に撮影時間をヘッダ添付して記録する（ステップＳ１５８）。
【００４４】
その後に、タイマスイッチ９を押すことなく（ステップＳ１５９）、撮影スイッチ７を押せば（ステップＳ１６１）、装置制御手段５１はその入力を受けて、バリアフィルタ３５を光路に挿入し、同時に跳ね上げミラー３７を撮影光路上から離脱させる（ステップＳ１６２）。検知スイッチ４０の検知信号が装置制御手段５１に入力すると（ステップＳ１６３）、これを受けて装置制御手段５１はデジタルカメラ４の撮影動作を開始させ（ステップＳ１６４）、所定の同期で撮影光源２４を所定の発光タイミングと発光時間で発光させる（ステップＳ１６５）。デジタルカメラ４は撮影部位の画像を撮影し、先に述べたように撮影された画像に撮影時間をヘッダ添付して記録する（ステップＳ１６６）。
【００４５】
タイマスイッチ９を押すと（ステップＳ１５９）、装置制御手段５１は内部タイマを止めてタイマ値とタイマ表示をリセットし（ステップＳ１７５）、蛍光造影モードの初期状態、即ちタイマスイッチ９を押すと、発光を伴わない撮影とタイマのスタートを行える状態となる（ステップＳ１５４）。また、ここで撮影全てを中止してもよい（ステップＳ１７７）。
【００４６】
蛍光造影撮影中にカラーモードスイッチ１１を押して（ステップＳ１６７）、エキサイタフィルタ２９及びバリアフィルタ３５を離脱させて、装置制御手段５１がカラー撮影モードに切換え（ステップＳ１６９）、後に再び蛍光造影モードスイッチ１０を押して蛍光造影モードに戻り（ステップＳ１７０、Ｓ１７１、Ｓ１７２）、撮影スイッチ７を押せば、デジタルカメラ４は上述のように撮影光源２４の発光を伴った撮影部位の画像を撮影する（ステップＳ１５９、Ｓ１６１〜Ｓ１６６）。
【００４７】
図８は撮影装置本体１に外部機器としてＰＣ（パーソナルコンピュータ）６０を接続した外観図を示し、図９に示すように撮影装置本体１の内部の装置制御手段５１に接続され、ＰＣ６０には入力手段６１が接続されている。
【００４８】
ＰＣ６０は公知のソフトウエア的な手段でタイマの表示が可能であり、装置制御手段５１からのコマンド入力によってタイマのスタート及びストップ、リセットが可能となっている。この構成においては、第１の実施の形態における装置制御手段５１による制御を、内部タイマから外部タイマに変更するだけであるので、先の実施の形態で述べたように蛍光造影モードにおいて撮影スイッチ７を押すことによって、ＰＣ６０におけるタイマのスタートと、デジタルカメラ４により発光を伴わない撮影を可能とすることができる。
【００４９】
なお、装置制御手段５１側からＰＣ６０におけるタイマを制御する構成の代りに、装置制御手段５１側にＰＣ６０からのコマンド入力を受けて動作する手段を設ければ、逆にＰＣ６０側から装置制御手段５１の動作を制御することも可能である。
【００５０】
図１０はこのＰＣ６０側から装置制御手段５１を制御する構成による蛍光造影撮影動作のフローチャート図である。撮影者が蛍光造影撮影モードに入るために、操作パネル６の蛍光造影モードスイッチ１０を押すと（ステップＳ２０１）、装置制御手段５１は蛍光造影モードに切換わり（ステップＳ２０２）、エキサイタフィルタ２９を光路内に挿入する（ステップＳ２０３）。
【００５１】
接眼レンズ３９を介して被検眼Ｅを観察しながら、操作桿８とフォーカスノブ３を操作して、眼底部Ｅａの撮影部位に対してアライメントと合焦を行い、入力手段６１を操作してＰＣ６０におけるタイマをスタートさせると（ステップＳ２０４）、ＰＣ６０は装置制御手段５１に撮影制御コマンドを送り、タイマの表示を開始し（ステップＳ２０５）、装置制御手段５１はＰＣ６０からの撮影制御コマンド入力を受けて（ステップＳ２０６）、跳ね上げミラー３７を撮影光路上から離脱させる（ステップＳ２０７）。
【００５２】
跳ね上げミラー３７が撮影光路から離脱したことを検知スイッチ４０が検知すると、装置制御手段５１に入力する（ステップＳ２０８）。検知スイッチ４０の入力を受けて装置制御手段５１はデジタルカメラ４の撮影動作をさせて、撮影光源２４の発光を伴わない撮影を行い（ステップＳ２０９）、先に述べたように撮影された画像に撮影時間をヘッダ添付して記録する（ステップＳ２１０）。
【００５３】
その後に、ＰＣ６０のタイマにおけるタイマのストップ操作を行うことなく（ステップＳ２１１）、撮影スイッチ７を押せば（ステップＳ２１３）、装置制御手段５１はその入力を受けて、バリアフィルタ３５を光路に挿入し、同時に跳ね上げミラー３７を撮影光路上から離脱させる（ステップＳ２１４）。検知スイッチ４０の検知信号が装置制御手段５１に入力すると（ステップＳ２１５）、これを受けて装置制御手段５１はデジタルカメラ４の撮影動作を開始し（ステップＳ２１６）、所定の同期で撮影光源２４を所定の発光タイミングと発光時間で発光させる（ステップＳ２１７）。デジタルカメラ４は撮影部位の画像を撮影し、前述したように撮影された画像に撮影時間をヘッダ添付して記録する（ステップＳ２１８）。
【００５４】
入力手段６１を操作して、ＰＣ６０におけるタイマをストップさせると（ステップＳ２１１）、ＰＣ６０は装置制御手段５１に撮影制御コマンドを送り、タイマの表示停止／リセットし（ステップＳ２２０）、蛍光造影モードの初期状態、即ち入力手段６１を操作してＰＣ６０におけるタイマをスタートさせると（ステップＳ２２１）、発光を伴わない撮影とタイマのスタートを行える状態となる（ステップＳ２０４〜Ｓ２１０）。また、ここで全ての撮影を中止してもよい（ステップＳ２２３）。
【００５５】
蛍光造影撮影中にカラーモードスイッチ１１を押して（ステップＳ２３４）、エキサイタフィルタ２９及びバリアフィルタ３５を離脱させて装置制御手段５１がカラー撮影モードに切換えた後に（ステップＳ２３５）、再び蛍光造影モードスイッチ１０を押して蛍光造影モードに戻り（ステップＳ２３６、Ｓ２３７、Ｓ２３８）、デジタルカメラ４は上述のように撮影光源２４の発光を伴った撮影部位の画像を撮影する（ステップＳ２１１、Ｓ２１３〜Ｓ２１８）。
【００５６】
上述のＰＣ６０はタイマ機能と外部との通信機能を有していれば、例えば汎用カウンタのようなものでもよい。
【００５７】
図１１はメインの画像撮影光学系に干渉しないように、投影結像光学系を斜め方向に設けた実施の形態を示している。デジタルカメラ４の斜め前方に投影結像光学系が配置され、投影結像レンズ７１、折り返しミラー７２、所定の図形が画かれている透過型チャート７３、投影光源７４が配列され、投影光源７４は装置制御手段５１に接続されている。
【００５８】
装置制御手段５１により発光制御された投影光源７４からの光束は、透過型チャート７３を裏面から照明する。透過型チャート７３を透過した光は、折り返しミラー７２と投影結像レンズ７１を経てデジタルカメラ４の撮像面に結像する。この構成により、前述の実施の形態において、タイマ始動つまり図４のＳ１０９、図７のステップＳ１５７、図１０のステップＳ２０９の直後又は同時に投影光源７４を発光させれば、デジタルカメラ４に透過型チャート７３に描かれている図形を写し込むことができる。
【００５９】
透過型チャート７３に描かれる図形は、識別し易い単純な幾何学図形がデジタル処理でデータを扱う際に簡便であるが、透過型のフィルムに被検者の情報等を書き込んでおくことも可能である。
【００６０】
装置制御手段５１にデジタルカメラ４の撮影動作と、タイマの始動の連動をさせるか、させないかの選択の入力操作を行うために操作パネル６上に連動切換つまみ１３が設けられている。この連動切換つまみ１３は右に回してＤにセットするとデジタルカメラ４とタイマの連動モードになり、左に回してＳにセットすると非連動モードになる。
【００６１】
図１２は上記構成による蛍光造影撮影動作のフローチャート図であり、予め連動切換つまみ１３をＤ又はＳにセットしておくが、この操作は何時行ってもよい。蛍光造影撮影モードに入るために、撮影者が操作パネル６の蛍光造影モードスイッチ１０を押すと（ステップＳ２５１）、装置制御手段５１は蛍光造影モードに切換わり（ステップＳ２５２）、エキサイタフィルタ２９を光路内に挿入する（ステップＳ２５３）。
【００６２】
撮影者は観察光学系で被検眼Ｅを観察しながら、操作桿８とフォーカスノブ３を操作して、眼底部Ｅａの撮影部位に対してアライメントと合焦を行い、撮影スイッチ７を押すと（ステップＳ２５４）、連動切換つまみ１３がＤに設定されている場合には（ステップＳ２５５）、装置制御手段５１はその入力を受けて、同時に跳ね上げミラー３７を撮影光路上から離脱させ、同時に装置制御手段５１の内部タイマがスタートして操作パネル６の表示手段１２にタイマの表示を開始する（ステップＳ２５７）。
【００６３】
跳ね上げミラー３７が撮影光路より離脱したことを、検知スイッチ４０が検知して装置制御手段５１に入力する（ステップＳ２５８）。検知スイッチ４０の入力を受けて装置制御手段５１はデジタルカメラ４の撮影動作をさせ、撮影光源２４の発光を伴わない撮影を行い（ステップＳ２５９）、先に述べたように撮影された画像に撮影時間をヘッダ添付して記録する（ステップＳ２６０）。
【００６４】
その後に、タイマが作動中に撮影スイッチ７を押せば（ステップＳ２６２）、装置制御手段５１はその入力を受けて、バリアフィルタ３５を光路に挿入し、同時に跳ね上げミラー３７を撮影光路上から離脱させる（ステップＳ２６３）。検知スイッチ４０の検知信号が装置制御手段５１に入力され（ステップＳ２６４）、これを受けて装置制御手段５１はデジタルカメラ４の撮影動作を開始させ（ステップＳ２６５）、所定の同期で撮影光源２４を所定の発光タイミングと発光時間で発光させる（ステップＳ２６６）。デジタルカメラ４は撮影部位の画像を撮影し、先に述べたように撮影された画像に撮影時間をヘッダ添付して記録する（ステップＳ２６７）。
【００６５】
タイマを停止しなければ（ステップＳ２６８）、通常撮影を続けることができる（ステップＳ２６２〜Ｓ２６７）。タイマを停止してタイマ値とタイマ表示をリセットすると、撮影は終了し（ステップＳ２７０）、蛍光造影モードの初期状態に戻る。
【００６６】
連動切換ツマミ４４をＳ側にしておくと（ステップＳ２５５）、タイマを動作させない通常撮影となる（ステップＳ２６２〜Ｓ２６７）。
【００６７】
デジタルカメラの変化に対して対応が容易な撮影同期と、タイマの開始を連動させる現代のデジタルカメラは、通常では内部に時計機能を有しているので、静脈注射時に撮影スイッチ７を押して空撮影を行い、この画像の撮影時刻を起点として、後に撮影された画像の撮影時刻の差を求めれば、タイマ値として用いることが可能になる。
【００６８】
ただし、これだけでは撮影された画像のタイマ情報は記録されることになるが、撮影中に撮影者が正確な経過時間を知ることができず、事実上タイマが使用できないことになる。そこで、静脈注射開始時にタイマの開始操作を行うと、デジタルカメラに撮影を行わせる連動手段を設ける。更に、このタイマ連動撮影に際して、被検者の負担の軽減をするために、撮影光の発光を伴わない撮影を行わせる。
【００６９】
この逆に、蛍光造影撮影モードに切換わって最初に撮影スイッチを押した時に、発光を伴わない空撮影を行うと同時にタイマをスタートさせてもよい。
【００７０】
また、静脈注射開始時の画像であるであることを、より明確に識別させるために、特定のマークをデジタルカメラの撮像面に投影する光学系を設置して、タイマ開始連動撮影の際には撮影光を発光させずに、このマークだけを撮影させる。このマークは簡易な画像認識手段でも容易に、認識及び識別可能なように単純な幾何学的図形が好ましい。
【００７１】
画像と共に記録されている時刻情報は、市販やフリーウエアの読取アプリケーションソフトを使用すれば簡便に利用できる。更に、市販の画像アプリケーションソフトや計算アプリケーションソフト、データベースアプリケーションソフトを用いれば、手軽に蛍光撮影の画像記録環境を構築することが可能になる。
【００７２】
【発明の効果】
以上説明したように本発明に係る眼科撮影装置は、高価で複雑な制御を必要とせず、市販デジタルカメラの進歩に対応して困難な画像キャプチャシステムを用いることなく、性能や機能の進歩が著しくかつ安価に提供されている市販のデジタルカメラを用いたタイマ情報を利用した蛍光造影撮影システムを手軽にかつ安価に実現できる。
【図面の簡単な説明】
【図１】装置の外観図である。
【図２】操作パネルの斜視図である。
【図３】装置内部の構成図である。
【図４】撮影スイッチによる動作フローチャート図である。
【図５】撮影スイッチ、検知スイッチ、デジタルカメラのタイミングチャート図である。
【図６】撮影スイッチ、検知スイッチ、デジタルカメラ、ストロボのタイミングチャート図である。
【図７】タイマスイッチによる動作フローチャート図である。
【図８】外部機器を接続した外観図である。
【図９】外部機器を接続した内部構成図である。
【図１０】外部機器コマンドを設けた場合の動作フローチャート図である。
【図１１】投影結像系を備えた実施の形態の構成図である。
【図１２】連動切換スイッチを設けた場合の動作フローチャート図である。
【符号の説明】
３  フォーカスノブ
４  デジタルカメラ
５  ファインダ光学系
６  操作板
７  撮影スイッチ
８  操作桿
９  タイマスイッチ
１０  蛍光造影モードスイッチ
１１  カラーモードスイッチ
２１  観察光源
２２  対物レンズ
２４  撮影光源
２９  エキサイタフィルタ
３２  孔あきミラー
３５  バリアフィルタ
４０  検知スイッチ
５１  装置制御手段
６０  ＰＣ
７３  透過型チャート
７４  撮影用光源
【図１】
2005058268.tif 000003
【図２】
2005058268.tif 000004
【図３】
2005058268.tif 000005
【図４】
2005058268.tif 000006
【図５】
2005058268.tif 000007
【図６】
2005058268.tif 000008
【図７】
2005058268.tif 000009
【図８】
2005058268.tif 000010
【図９】
2005058268.tif 000011
【図１０】
2005058268.tif 000012
【図１１】
2005058268.tif 000013
【図１２】
2005058268.tif 000014